(57)【特許請求の範囲】
【請求項１】
被検眼を測定する測定手段と、この測定手段によって測定された測定データやその他の情報を表示する表示手段と、前記測定手段および表示手段のパワーをセーブして測定手段および表示手段の機能を停止させておくパワーセーブ手段とを備えた眼科装置において、
前記パワーセーブ手段によってパワーセーブされている際中に、ＩＤコードの入力を受け付けるＩＤ入力受付手段と、
このＩＤ入力受付手段がＩＤコードを受け付けたとき、パワーセーブ手段のパワーセーブを解除するパワーセーブ解除手段とを設けると共に、
前記測定手段によって測定された測定データにＩＤコードが付加されていないとき、その測定データの通信を禁止する禁止モードを設けたことを特徴とする眼科装置。
【請求項２】
前記測定データにＩＤコードが付加されていないとき、ＩＤコードを入力することを促す表示機能を設けたことを特徴とする請求項１の眼科装置。
【請求項３】
前記測定手段によって測定された測定データにＩＤコードが付加されていないとき、前記禁止モードと、その測定データの通信を可能にする通信可能モードのどちらか選択できることを特徴とする請求項１または請求項２の眼科装置。
【発明の詳細な説明】
【０００１】
【発明の属する技術分野】
この発明は、パワーセーブ機能を備えたオートレフラクトメータや眼底カメラ等の眼科装置に関する。
【０００２】
【従来の技術】
従来、眼科装置は、被検眼を測定手段により測定し、その測定した測定データをディスプレイに表示するようになっている。また、一定時間使用しないと一部の電源供給を停止し、電力消費を抑える機能のパワーセーブ中にはディスプレイの表示は行われず、測定手段による測定やＩＤ等の入力も行うことができないようになっており、そのパワーセーブの解除は専用のパワーセーブ解除スイッチを操作することによって行っている。
【０００３】
【発明が解決しようとする課題】
ところで、測定が終了してパワーセーブを行った後にＩＤを入力することを忘れたことに気づく場合がある。この場合、いちいちパワーセーブ解除スイッチを操作してパワーセーブを解除しなければならず、面倒であるという問題があった。
【０００４】
この発明は、上記事情に鑑みてなされたもので、その目的は、パワーセーブ中にＩＤの入力を行うことができ、しかもそのパワーセーブが解除される眼科装置を提供することにある。
【０００５】
【課題を解決するための手段】
上記目的を達成するため、請求項１の発明では、被検眼を測定する測定手段と、この測定手段によって測定された測定データやその他の情報を表示する表示手段と、前記測定手段および表示手段のパワーをセーブして測定手段および表示手段の機能を停止させておくパワーセーブ手段とを備えた眼科装置において、
前記パワーセーブ手段によってパワーセーブされている際中に、ＩＤの入力を受け付けるＩＤ入力受付手段と、
このＩＤ入力受付手段がＩＤを受け付けたとき、パワーセーブ手段のパワーセーブを解除するパワーセーブ解除手段とを設けたことを特徴とする。
【０００６】
また、請求項１の発明は、前記測定手段によって測定された測定データにＩＤコードが付加されていないとき、その測定データの通信を禁止することを特徴とする。
【０００７】
請求項２の発明は、前記測定データにＩＤコードが付加されていないとき、ＩＤコードを入力することを促す表示機能を設けたことを特徴とする。
【０００８】
請求項３の発明は、前記測定手段によって測定された測定データにＩＤコードが付加されていないとき、前記禁止モードと、その測定データの通信を可能にする通信可能モードのどちらか選択できることを特徴とする。
【０００９】
【実施形態】
以下、この発明に係わる眼科装置の実施の形態を図面に基づいて説明する。
【００１０】
図１に示す眼科装置の一つであるオートレフラクトメータ１０は、ジョイスティック１１の操作によりベース台１２に対して前後左右方向に移動可能な架台１３を有している。架台１３にはモニターＴＶ（ディスプレイ：表示手段）を有する本体１４が設けられており、この本体１４の上には左右上下前後に移動可能な測定部１５が設けられている。架台１３には、プリンタ１６と、パワーセーブを設定するパワーセーブスイッチ１７とが設けられている。１９はジョイスティック１１に設けられた測定スイッチである。
【００１１】
測定部１５には、測定光学系２１（図２参照）が設けられており、ベース台１２の側部には、検眼カード(図示せず)に付されているバーコード（ＩＤコード）を読み取るバーコードリーダ２４（図２参照）を接続する接続端子Ｔ1と、通信用の通信端子Ｔ2,Ｔ3が設けられている。また、ベース台１２の前端には支持アーム２０Ａが設けられており、この支持アーム２０Ａには顎受２０Ｂや額当２０Ｃが設けられている。
【００１２】
図２はオートレフラクトメータ１０の制御系の構成を示したブロック図である。図２において、２２はサーバー２３を介してオートレフラクトメータ１０に接続された端末である。各端末２２は被検者の測定データを必要とするレンズ加工工場や病院等に設置されたパソコン等である。
【００１３】
オートレフラクトメータ１０は、測定光学系２１によって得られた光学データに基づいて屈折度等（測定データ）を演算する演算装置３０と、演算装置３０が演算した屈折度等を記憶するメモリ３１と、メモリ３１に記憶されたデータを送信する通信手段３２と、測定光学系２１,演算装置３０,通信手段３２,モニターＴＶ等を制御する制御装置３３等とを備えている。そして、測定光学系２１と演算装置３０等とで測定手段が構成される。
【００１４】
制御装置３３は、ＣＰＵ等から構成され、パワーセーブスイッチ１７がオン設定で、一定時間オートレフラクトメータ１０が使用されないと、自動的にパワーセーブ状態となり、測定光学系２１,モニターＴＶ,通信手段３２等のパワーをセーブし、バーコードリーダ２４から読み取ったＩＤコードが入力されるとそのパワーセーブを解除し、メモリ３１に記憶された測定データにＩＤコードが付されていないときその測定データの通信を禁止したりするものである。すなわち、制御装置３３は、パワーセーブするパワーセーブ手段と、ＩＤコードを受け付けるＩＤ入力受付手段と、そのパワーセーブを解除するパワーセーブ解除手段との機能を有している。
【００１５】
次に、上記実施の形態の眼科装置の動作について説明する。
【００１６】
先ず、オートレフラクトメータ１０のベース台１２の接続端子Ｔ1にバーコードリーダ２４を接続し、そのベース台１２の接続端子Ｔ2,Ｔ2とサーバー２３とを接続しておく。
【００１７】
そして、図示しないメインスイッチを投入すると、図３に示すようにモニターＴＶにアライメントマークＭ1と最小瞳孔径マークＭ2と測定スポットＭ3とが表示される。このとき、アライメントがまだ行われていないので測定スポットＭ3はアライメントマークＭ1の外側に表示される。検者は、モニターＴＶに表示されたアライメントマークＭ1内に測定スポットＭ3が入るようにジョイスティック１１を操作して架台１３をベース台１２に対して前後左右方向に移動させるとともにジョイスティック１１を回動させて測定部１５を上下動させる。
【００１８】
測定スポットＭ3がアライメントマークＭ1内に入ると、測定スポットＭ3が最小瞳孔径マークＭ2内に入るように、測定部１５が自動的に左右前後上下に移動して自動アライメントが行われる。
【００１９】
そして、検者が測定スイッチ１９を押すと、測定光学系２１によって被検眼の屈折度が測定され、演算装置３０によって屈折度が求められてメモリ３１に記憶される。そして、図３に示すようにモニターＴＶに、演算装置３０によって求めたＳ,Ｃ,Ａの値と、測定回数Ｑ1と、オートレフラクトメータ１０の機械番号Ｑ2と、測定眼である右目か左目かを示す「Ｒ」または「Ｌ」の文字と、メガネレンズと目との間の距離ＶＤと、測定光学系２１の固視標の明るさを示す値Ｆと、乱視符号Ｑ3等とが表示される。測定が複数回行われたとき、モニターＴＶの下の段に複数回行われたＳ,Ｃ,Ａの代表値が表示される。この代表値は最大値であってもよく、平均値であってもよい。
【００２０】
バーコードリーダ２４によって検眼カードのバーコードを読み取っていない場合、ＩＤコードが制御装置３３に入力されていないので、メモリ３１に記憶された測定データにはＩＤコードが付加されておらず、モニターＴＶにはＩＤコードである被検者番号Ｑ4は表示されない。測定データにＩＤコードが付加されていないので、制御装置３３は通信手段３２による測定データの通信を禁止する。
【００２１】
すなわち、通信禁止モードが設定される。この通信禁止モード中に、図示しない操作キーによって通信操作を行っても測定データの通信が行われず、モニターＴＶに「データが送れません、ＩＤコードを入力して下さい」のメッセージが表示される。通信禁止モードの設定により、ＩＤコードが付加されていない測定データが送信されないので、サーバー２３によって被検眼データを管理することが出来なくなってしまうことが防止される。
【００２２】
そして、パワーセーブスイッチ１７がオン設定で、一定時間オートレフラクトメータ１０を使用しないと自動的に制御装置３３は測定光学系２１,モニターＴＶ,通信手段３２等のパワーをセーブする。このセーブにより、測定光学系２１による測定と通信手段３２による通信とが行えなくなり、モニターＴＶがオフされて画面が消されることになる。
【００２３】
このパワーセーブ中に、被検者のＩＤコードの入力し忘れたことに気づいて、バーコードリーダ２４によって検眼カードのバーコードを読み取ると、すなわち、バーコードリーダ２４からバーコードであるＩＤコードが出力されて制御装置３３に入力される。制御装置３３はＩＤコードの入力によりパワーセーブを解除する。この解除により、モニターＴＶの画面が表示され、入力されたＩＤコードである被検者番号Ｑ4がモニターＴＶに表示され、ＩＤコードが入力されたことを確認することができる。また、制御装置３３は入力されたＩＤコードを測定データに付加してメモリ３１に記憶させる。
【００２４】
パワーセーブの解除により、測定光学系２１による測定と通信手段３２による通信とが行えるようになる。したがって、検者は通信用の操作キーを操作すれば、メモリ３１に記憶されたＩＤコードが付加された測定データが通信手段３２によってサーバー２３へ送信されることになる。この場合、機械番号Ｑ2,距離ＶＤ,測定回数Ｑ1,測定眼,固視標の明るさＦなどのデータも送信される。
【００２５】
このように、パワーセーブ中にＩＤコードが入力されると、パワーセーブが解除されて入力されたＩＤコードがモニターＴＶに表示されるので、パワーセーブスイッチ１７を操作しなくとも入力されたＩＤコードを確認することができ、しかも、通信用の操作キーを操作するだけでＩＤコードが付加された測定データの通信が行えるので、非常に使い勝手のよいものとなる。また、ＩＤコードが付加された測定データがサーバー２３に送信されるので、サーバー２３ではその測定データの管理を確実に行うことが出来ることになる。
【００２６】
上記実施形態では、測定データにＩＤコードが付加されていないとき、制御装置３３はその測定データを送信しないように制御するが、サーバー２３はＩＤコードが付加されていない測定データを受信したときオートレフラクトメータ１０にエラーを返して、ＩＤコードを付加するようモニターＴＶに表示させるようにしてもよい。この場合、警告音を発生させて注意を促してもよい。また、ＩＤコードが入力されたら、制御装置３３はそのＩＤコードを付加した測定データを直ちに送信するようにする。
【００２７】
上記実施形態では、オートレフラクトメータ１０について説明したが、検眼器であってもよい。この場合、検眼器は測定する毎にシリアル番号を出力するので、必ずしも測定データにＩＤコードを付加しなくても、測定データを管理することが出来る。したがって、図２の鎖線で示すように選択スイッチ１８を設けて、ＩＤコードが付加されていないときその測定データの通信を禁止する禁止モードと、ＩＤコードが付加されていなくとも測定データの通信を可能にする通信可能モードのどちらかを選択できるようにしてもよい。
【００２８】
【発明の効果】
この発明によれば、パワーセーブ中にＩＤコードの入力を行うことができ、しかもそのパワーセーブが解除されるので、その入力されたＩＤコードを確認することができる。また、測定手段によって測定された測定データにＩＤコードが付加されていないときに、禁止モードによってその測定データの通信を禁止することができる。
【図面の簡単な説明】
【図１】  (Ａ)この発明に係る眼科装置を示した側面図である。
(Ｂ)上記眼科装置の背面図である。
【図２】眼科装置の制御系の構成を示したブロック図である。
【図３】図１の眼科装置のモニターに表示される画面の説明図である。
【符号の説明】
２１      測定光学系
２４      バーコードリーダ
３０      演算装置
３３      制御装置
ＴＶ      モニター
【図１】
0004364379.tif 000002
【図２】
0004364379.tif 000003
【図３】
0004364379.tif 000004